(57)【要約】【課題】製造コストを増大させることなく、その外面に設けられる情報の欠損を防止可能な包装容器を提供すること。【解決手段】  その外面に情報を表示する表示体１２を有し、物品を包装する包装容器１として、箱体１０と、箱体１０の外面に設けられ、その外面が前記箱体１０の外面から窪み、前記表示手段１２をその範囲内に備える表示部１１と、を備える構成とする。【選択図】      図１
2012020749.tif 000002
【特許請求の範囲】
【請求項１】
その外面に情報を表示する表示手段を有し、その内部に物品を包装する包装容器であって、
前記物品を包装する箱体と、
前記箱体の外面に設けられ、その外面が前記箱体の外面から窪み、前記表示手段をその範囲内に備える表示部と、
を備えることを特徴とする包装容器。
【請求項２】
前記箱体は一対のライナー及び波型の中芯により形成された段ボール箱であり、
前記表示部は、前記外面の前記ライナー及び前記中芯の一部を押圧することで形成された凹部であることを特徴とする請求項１に記載の包装容器。
【請求項３】
前記表示部は、その周囲の少なくとも一部に、前記箱体の外面に位置する前記ライナーの一部を切断した切断部が形成されることを特徴とする請求項２に記載の包装容器。
【請求項４】
前記表示部は、その周囲の少なくとも一部に、前記箱体の外面の一部を切断した切断部が形成されることを特徴とする請求項１に記載の包装容器。
【請求項５】
前記表示手段は、情報が印刷された印刷部、又は、前記情報が印刷されたシールであることを特徴とする請求項１に記載の包装容器。
【請求項６】
前記表示部の前記表示手段を設ける範囲に、前記表示手段の案内を行う案内手段をさらに備えることを特徴とする請求項１に記載の包装容器。
【発明の詳細な説明】
【技術分野】
【０００１】
本発明は、物品を包装する包装容器に関する。
【背景技術】
【０００２】
物品の保管や物流等において、物品は包装容器に包装した状態で行われる。このような物品を包装する包装容器は、物品や物流等の情報がその外面に表示される。例えば、このような情報は、包装容器の外面に印刷又は情報が印刷されたシールを接着させることで、視認可能に設けられる。
【０００３】
しかし、このような包装容器は、隣り合う包装容器や壁面等とその外面が干渉することで、包装容器の外面に擦れや汚れが発生し、このため表示された情報が視認できなくなる虞がある。以下、具体的に図９を用いて説明する。なお、図９は、包装容器１００の要部を拡大して示す図面である。
【０００４】
図９に示すように、包装容器１００は、その外面に、情報１０１が表示されたシール１０２が接着されている。例えば、このような包装容器１００の一として、段ボール箱を用いた場合で説明する。
【０００５】
包装容器１００は、搬送時に、隣り合う包装容器１００と干渉すると、その外面、特に段ボール内の中芯に位置する外面の範囲１０３に擦れや汚れが発生する。このため、図９に示すように、シール１０２の範囲１０３に位置する情報１０１の一部が認識できなくなる虞がある。
【０００６】
しかし、包装容器１００に設けられた情報１０１が、物品の情報や物流時に用いるトレーサビリティ用のバーコードやＱＲコードである場合、これら情報１０１が欠損すると、物品の取り違えが発生する等によって、保管や物流等に支障をきたす虞がある。
【０００７】
このため、情報の欠損を防止するために、包装容器の情報の表示部の周囲に、その表示部よりも外側に隆起する隆起部を有し、隣り合う包装容器を隆起部で受けて、表示部に隣り合う包装容器が干渉することを防止する技術が知られている（例えば特許文献１参照）。また、その外面を一部開口させ、その内部に情報が印刷された印刷紙を物品と共に包装することで、包装容器の外面よりも、印刷紙が内側に位置させる技術も知られている（例えば、特許文献２参照）。この特許文献２の技術の目的としては、包装容器のリサイクル性を向上させるものであるが、その構造上、上述した特許文献１と同様に、情報の欠損を防止することが可能となる。
【０００８】
また、包装容器の構成ではなく、例えば、情報を表示するシールにより、情報の欠損を防止することも知られている。即ち、シールに表示された情報の欠損は、シールに用いられる台紙の平滑性とインクに用いられるリボン材質の硬さの相性により、インクの剥離に影響を及ぼす。このため、例えば、インクリボンの材質に擦れに強い硬い材質を用いることも考えられる。このような材質として、ワックスタイプ、ハードワックス、セミレジン、レジンが考えられ、これら材質は、順次擦れに強くなる性質を有する。
【０００９】
また、包装容器の周囲、又は、情報が設けられた部位を、ストレッチフィルム等の樹脂フィルムで覆うことで、情報の欠損を防止する技術も知られている。
【先行技術文献】
【特許文献】
【００１０】
【特許文献１】特開２００９−１４９３４１号公報
【特許文献２】特開２００３−３００５６１号公報
【発明の概要】
【発明が解決しようとする課題】
【００１１】
上述した包装容器では、以下の問題があった。即ち、包装容器の外面に隆突起を設ける構成では、包装容器の外形寸法が大きくなる。また、複数の包装容器を搬送する際には、隣り合う包装容器と、隆突起の部位以外では、間隙が発生する。特に、複数の包装容器を搬送する際には、包装容器の外形寸法が大となると、一回に搬送できる数が低減する。また、搬送時の衝撃の低減等の理由から、隣り合う包装容器と間隙が発生しないことが望ましい。
【００１２】
また、上述した包装容器の外面に開口を設ける構成では、包装容器の上方からの荷重に対する強度（座屈強度）が低下し、物品によっては、搬送時に、包装容器上に他の包装容器を積層できない虞がある。なお、例えば、物品を保持する緩衝材に、例えば、包装容器の内部寸法と略同一の外形を有する発泡スチロールを用いることで、包装容器の強度を向上させることも考えられる。しかし、このような緩衝材を用いることができない場合もある。また、当該緩衝材により、物流時のコストが増加する虞もある。
【００１３】
さらに、上述したシールに用いるインクリボンの材質を、擦れに強い材質を用いることで情報の欠損を防止すると、印刷時に、インクが転写しにくくなるという問題がある。このため、所謂ドット抜け等が発生する恐れがある。例えば、このようなドット抜けを解消させるために、シールの台紙の平滑性を高くする、といったことも考えられる。しかし、台紙のコストが増大するという問題がある。
【００１４】
また、上述した樹脂フィルムで包装容器を覆う技術では、樹脂フィルムのコストが高く、また、樹脂フィルムで包装容器を覆う作業時間や人件費等の作業コストが増大し、結果、製造コストが増大する問題もある。
【００１５】
そこで本発明は、製造コストを増大させることなく、その外面に設けられる情報の欠損を防止可能な包装容器を提供することを目的としている。
【課題を解決するための手段】
【００１６】
前記課題を解決し目的を達成するために、本発明の包装容器は、次のように構成されている。
【００１７】
本発明の一態様として、その外面に情報を表示する表示手段を有し、その内部に物品を包装する包装容器であって、前記物品を包装する箱体と、前記箱体の外面に設けられ、その外面が前記箱体の外面から窪み、前記表示手段をその範囲内に備える表示部と、を備えることを特徴とする包装容器が提供される。
【発明の効果】
【００１８】
本発明によれば、その外面に設けられた情報の欠損を容易に防止可能な包装容器を提供することが可能となる。
【図面の簡単な説明】
【００１９】
【図１】本発明の第１の実施の形態に係る包装容器の構成を示す斜視図。
【図２】同包装容器の要部構成を拡大して示す平面図。
【図３】同包装容器の要部構成をＸ−Ｘ断面で示す断面図。
【図４】同包装容器の製造の一例を模式的に示す斜視図。
【図５】同包装容器の使用の一例を要部構成のＸ−Ｘ断面にて示す断面図。
【図６】本発明の第２の実施の形態に係る包装容器の要部構成を拡大して示す平面図。
【図７】本発明の第３の実施の形態に係る包装容器の要部構成を拡大して示す平面図。
【図８】本発明の第４の実施の形態に係る包装容器の要部構成を拡大して示す平面図。
【図９】従来の技術に係る包装容器の要部構成を示す平面図。
【発明を実施するための形態】
【００２０】
以下、本発明の第１の実施の形態に係る包装容器１を、図１〜図５を用いて説明する。  
図１は本発明の一実施の形態に係る包装容器１の構成を示す斜視図、図２は包装容器１に設けられる表示部１１の構成を拡大して示す平面図、図３は包装容器１の表示部１１を図２中のＸ−Ｘ断面で示す断面図、図４は包装容器１の製造の一例を模式的に示す斜視図、図５は包装容器１の使用の一例をＸ−Ｘ断面で示す断面図である。
【００２１】
図１及び図２に示すように、包装容器１は、その内部に包装物（物品）を包装可能な箱体１０と、この箱体１０の外面に設けられた表示部１１と、表示部１１に設けられた表示体１２と、を備えている。
【００２２】
箱体１０は、例えば、その上部が開閉可能、且つ、接着テープ等により閉塞可能に形成された蓋部を有し、その内部に包装物を収納し、蓋部を閉塞することで、包装物を包装可能に形成されている。箱体１０は、例えば、図３のＸ−Ｘ断面図に示すように、その断面が、中空構造であって、紙材で形成された一対のライナー２１と、紙材で形成され、これらライナー２１内にその断面が波型に形成された中芯２２と、により形成されている。即ち、箱体１０は、このような一対のライナー２１及び中芯２２により形成された、所謂段ボールシートによって、箱状に形成された段ボール箱が用いられる。
【００２３】
表示部１１は、箱体１０の外面に設けられ、図２，３に示すように、所定の範囲において、箱体１０の外面から窪む凹部である。なお、具体的には、表示部１１は、所定の範囲において箱体１０の外面を押圧し、図３に示すように、箱体１０の外面に位置するライナー２１及び中芯２２の一部を潰す（凹ませる）ことで形成されている。
【００２４】
ここで、所定の範囲とは、表示体１２の表示範囲と同等若しくはそれ以上の範囲であれば良い。また、表示部１１は、少なくとも、表示部１１に設けられる表示体１２の外面が、箱体１０の外面と同一又はそれよりも窪む、所謂面位置以下の深さとなるように形成されている。例えば、表示部１１は、その深さが１ｍｍの深さに形成されている。
【００２５】
表示体１２は、情報を表示可能な表示手段である。具体的には、表示体１２は、表示部１１の範囲内に設けられるインキ等により情報が印刷又は記載された印刷部１２Ａや、インキ等により印刷部１２Ａが印刷されたシール１２Ｂ等が用いられる。シール１２Ｂは、紙体や樹脂フィルム等の台紙に印刷部１２Ａが印刷されるとともに、裏面に接着剤等の接着層が設けられ、表示部１１に接着される。
【００２６】
なお、ここで表示体１２により表示される情報とは、例えば、包装物の名称や、包装物を取り扱う企業名、及び、包装容器１を搬送する際に用いる搬送情報やトレーサビリティ用のバーコード及びＱＲコード等がある。なお、情報はこれに限定されずに、必要に応じて適宜表示体１２により表示される。
【００２７】
次に、段ボール箱である箱体１０の外面に表示部１１を有する包装容器１の製造方法を説明する。  
先ず、箱体１０として、一対のライナー２１、２１間に、中芯２２が接着剤により固定され、段ボール原紙が形成される。次に、この段ボール原紙を必要な寸法の裁断し、箱体１０のフラップ部となる溝を切断する等の工程により、段ボールシートを形成する。
【００２８】
次に、折り曲げ、及び、組み立てにより箱体１０となる形状に、段ボールシートの外形、折り曲げるためのスコアやクリーズ等の罫線を抜型等で打ち抜く抜き型工程が行われる。なお、この抜き型工程において、図４に示すように、表示部１１が抜き型に設けられた押型５０により形成される。
【００２９】
なお、表示部１１を形成する押型５０は、例えば、図４に示すように、表示部１１の形状に樹脂材料で形成された凸部５１を有している。なお、この凸部５１は、その高さが、形成される表示部１１の深さよりも若干高く形成されている。例えば、凸部５１は、表示部１１の深さを１ｍｍとする場合には、２ｍｍ程度の高さに形成される。
【００３０】
抜き型工程において、ライナー２１及び中芯２２は、このような押型５０により押圧され、２ｍｍ程度の深さに凹むとともに、押型５０による押圧が解除される（圧力が開放される）と、その一部が復元し、１ｍｍ程度の深さの表示部１１が形成される。なお、この復元は、押型５０や表示部１１の形状、箱体１０の材質等によって適宜設定される。
【００３１】
次に、箱体１０の外面に、必要な印刷が成される。なお、この印刷工程において、前工程で形成された表示部１１の外面に表示される印刷部１２Ａも印刷される。
【００３２】
次に、各接合部を接合し、段ボールシートが、箱体１０の形状に組み立てられる。また、表示部１１に、シール１２Ｂが接着されることで、包装容器１が製造される。なお、シール１２Ｂの接着は、包装物を包装容器１内に包装した後に行ってもよい。
【００３３】
このように構成された包装容器１は、図１乃至図３に示すように、印刷部１２Ａやシール１２Ｂ等のような情報の表示手段である表示体１２が表示部１１に表示されることとなる。このため、搬送等において、図５に示すように、隣接する包装容器１同士の外面が当接し、搬送による振動によりその外面が擦れ合っても、表示部１１上の表示体１２は、隣接する包装容器１の外面に干渉しない。即ち、包装容器１の表示部１１の外面と、隣接する包装容器１の外面との間には、間隙が発生する。
【００３４】
このため、この間隙に位置する表示体１２は、外部からの干渉することがなく、結果、表示体１２に表示された情報が欠損することを確実に防止することが可能となる。
【００３５】
また、表示部１１に表示体１２を設けるだけで、表示体１２が外部と干渉し、情報が欠損することを防止できるため、表示体１２、例えば印刷部１２Ａやシール１２Ｂ等に用いる台紙やインクが、擦れに強い材質のものを用いる必要が無い。即ち、印刷部１２Ａやシール１２Ｂに用いる材料を安価なものを用いることが可能となり、材料コストを低減することが可能となる。
【００３６】
また、他の部材等により、表示体１２を保護する必要もない。このため、表示体１２の保護に必要なコストを低減することが可能となる。また、表示部１１は、押圧等により箱体１０の外面に形成された窪みであるため、製造コストを増大させることなく、表示部１１を形成することが可能となる。これらのことから、包装容器１は、その製造コストを増大させることなく、表示体１２の欠損を防止することが可能となる。
【００３７】
上述したように本実施の形態に係る包装容器１によれば、箱体１０の外面よりも窪む表示部１１に表示体１２を設ける構成としたことで、搬送時等に隣接する他の包装容器１と互いの外面が干渉しても、表示体１２が他の包装容器１と干渉することがない。また、表示部１１は、窪みにより形成された凹部により形成される。このため、包装容器１は、製造コストを増大させることなく、表示体１２の情報の欠損を防止することができる。
【００３８】
なお、本発明は前記実施の形態に限定されるものではない。次に、本発明の第２の実施の形態に係る包装容器１Ａを、図６を用いて説明する。なお、上述した包装容器１と同様の構成には同一符号を付し、その詳細な説明は省略する。
【００３９】
図６に示すように、包装容器１Ａは、箱体１０の外面に表示部１１を有し、さらに、表示部１１の表示体１２が設けられる範囲に、表示体１２、具体的にはシール１２Ｂを接着させる範囲を示す案内表示１３を備えている。この案内表示１３は、表示体１２を設ける範囲を案内する案内手段である。
【００４０】
案内表示１３は、例えば、上述した印刷工程において箱体１０の外面に直接印刷により形成される。なお、この案内表示１３は、シール１２Ｂの外縁の角部等の外縁に沿った形状の直線又は曲線からなり、この案内表示１３が記載されることで、シール１２Ｂを設ける範囲を案内可能に形成される。
【００４１】
このように構成された包装容器１Ａは、表示部１１内に表示体１２を設ける案内表示１３を有することで、確実に表示部１１内にシール１２Ｂを接着させることが可能となる。特に、表示部１１は、箱体１０の外面に設けられた窪みであり、視認性が悪い虞がある。
【００４２】
このため、案内表示１３を設けることで、表示部１１からずれた位置に表示体１２を設けることを確実に防止することが可能となる。これにより、表示体１２が欠損することを防止することが可能となる。また、視認性が向上するため、表示体１２を設けるための作業効率も向上する。
【００４３】
なお、この案内表示１３は、シール１２Ｂの案内のために設けるだけでなく、印刷部１２Ａの印刷の基準となるような記号等であっても良い。即ち、案内表示１３は、印刷工程において、印刷を行う装置が、光学的に、印刷範囲である表示部１１を検索可能なものであってもよい。
【００４４】
次に、本発明の第３の実施の形態に係る包装容器１Ｂを、図７を用いて説明する。なお、上述した包装容器１、１Ａと同様の構成には同一符号を付し、その詳細な説明は省略する。
【００４５】
包装容器１Ｂは、箱体１０の外面に、表示部３０を備えている。表示部３０は、凹部３１と、この凹部３１の周囲に設けられ、箱体１０の外面に位置するライナー２１が切除された切断部３２と、を備えている。即ち、表示部３０は、凹部３１の外囲（全周囲）の外面に位置するライナー２１が切断部３２により切断される。なお、凹部３１は、上述した表示部１１と実質的に同一の、表示体１２が設けられる範囲である。
【００４６】
このような表示部３０は、例えば、上述した押型５０に設けられた凸部５１の周囲にさらに抜き刃を設けた押型を押圧させることで形成される。なお、切断部３２は、箱体１０の強度の低下を極力防止するために、箱体１０の外面に位置するライナー２１のみが切除されていることが望ましい。
【００４７】
このように構成された包装容器１Ｂは、上述した包装容器１，１Ａと同様の効果を得られるとともに、切断部３２を設けることで、上述した包装容器１Ａの案内表示１３と同様に、切断部３２により表示部３０（凹部３１）の範囲を視認可能となる。即ち、切断部３２は、案内手段である。
【００４８】
また、表示部３０は、切断部３２を設けることで、表示部３０を押型により押圧して形成する時に、凹部３１の復元する量は、中芯２２の復元する量のみとなるため、形成時の復元量の管理が容易となる。また、押圧する圧力も、切断部３２を設けることで、上述した表示部１１に比べて低い圧力でよい。このように、切断部３２を有する表示部３０を備えた包装容器１Ｂは、上述した案内手段としての効果を有するだけでなく、製造時における寸法管理が容易となるとともに、押圧のための高い圧力を必要としない。このため、製造が容易となる。
【００４９】
また、凹部３１は、切断部３２により切断された箱体１０の外面に位置するライナー２１が中芯２２により支持されることで構成される。このため、他の包装部材と表示部３０の表示体１２が干渉したとしても、一度変形（塑性変形）した中芯２２により凹部３１が支えられているだけであるため、他の包装部材との干渉時に凹部３１が箱体１０の外面よりも窪むように、容易に変形する。これにより、万が一、凹部３１が復元し、凹部３１の外面と箱体１０の外面とが面位置となっても、確実に表示部３０の欠損を防止することが可能となる。
【００５０】
なお、包装容器１Ｂでは、切断部３２は、凹部３１の範囲の全周囲を囲むように設けられるとしたがこれに限定されない。次に、本発明の第４の実施の形態に係る包装容器１Ｃを、図８を用いて説明する。なお、上述した包装容器１，１Ａ，１Ｂと同様の構成には同一符号を付し、その詳細な説明は省略する。
【００５１】
包装容器１Ｃは、図８に示すように、箱体１０に設けられた凹部３１と、この凹部３１の周囲の一部を囲むように、凹部３１の外囲の一部が切断された切断部３５を複数有する表示部３４を備える構成である。即ち、上述した包装容器１Ｂの表示部３０では、凹部３１の前周囲に切断部３２が設けられている構成に対し、包装容器１Ｃの表示部３４では、凹部３１の外囲の一部にのみ切断部３５を設ける構成である。
【００５２】
このような構成の包装容器１Ｃは、図８に示すように、切断部３５によって、凹部３１の範囲を視認可能であればよく、上述した包装容器１Ｂと略同等の効果を得ることができる。また、切断部３５は、ライナー２１の切除が、上述した切断部３２よりも少なくて良く、このため、箱体１０の強度の低下を極力防止することができる。
【００５３】
なお、本発明は前述した各実施の形態に限定されるものではない。上述した例では、表示部１１、３０、３４は、抜き型工程により形成されるとしたがこれに限定されない。例えば、印刷工程において、箱体１０の外面にゴム凸版を用いた輪転印刷を行う場合には、このゴム凸版に、押型５０の凸部５１と同様の押型を設け、印刷を行うと同時に、表示部１１，３０，３４を形成する構成であってもよい。
【００５４】
また、上述した箱体１０は、紙材により形成された段ボール箱としたがこれに限定されない。例えば、所謂プラダンと呼ばれる、樹脂材料により形成された段ボールであってもよく、又、他の箱体であってもよい。即ち、表示体１２を設けるための、箱体の外面よりも窪む表示部を有する包装容器であればよく、例えば、発泡スチロールや、他樹脂材料により形成された箱体であってもよい。
【００５５】
プラダンを用いた場合には、上述した包装容器１〜１Ｃと同様に表示部を設ければよい。また、発泡スチロールを用いた箱体の場合には、その外面に表示部を、押圧により形成してもよい。また、押圧でなく、表示部の形状に箱体の外面を切除してもよく、又、溶剤等により溶融させて表示部を形成してもよい。また、樹脂材料により箱体を形成する際に、その外形の一部を窪ませた表示部を有する形状としてもよい。この他、本発明の要旨を逸脱しない範囲で種々変形実施可能である。
【符号の説明】
【００５６】
１，１Ａ，１Ｂ，１Ｃ…包装容器、１０…箱体、１１，３０，３４…表示部、１２…表示体（表示手段）、１２Ａ…印刷部、１２Ｂ…シール、１３…案内表示（案内手段）、２１…ライナー、２２…中芯、３１…凹部、３２，３５…切断部（案内手段）、５０…押型、５１…凸部、１００…包装容器、１０１…情報、１０２…シール、１０３…中芯の範囲。
【図１】
2012020749.tif 000003
【図２】
2012020749.tif 000004
【図３】
2012020749.tif 000005
【図４】
2012020749.tif 000006
【図５】
2012020749.tif 000007
【図６】
2012020749.tif 000008
【図７】
2012020749.tif 000009
【図８】
2012020749.tif 000010
【図９】
2012020749.tif 000011